(57)【要約】【課題】  本発明はタッチペンの使用中は指に係止させて使用できるようにして、落としたりする不具合を効率よく阻止するとともに、不使用時にはタッチペンのペン先を保護して、風化や損傷したりするのを効率よく阻止することができ、かつタッチペンの持ち運びが容易なスマートフォン用タッチペンを得るにある。【解決手段】  タッチペン本体と、このタッチペン本体に直接あるいは紐を介して取付けられたスマートフォンの接続端子に着脱可能に取付けることができるピンジャックと、前記タッチペン本体の先端部を覆うことができるように該先端部に着脱可能に取付けられ、前記ピンジャックの先端部が着脱可能なピンジャック係合孔を有するカバー、あるいは前記紐を介して取付けられたピンジャックに形成された指固定具と、このカバーあるいは指固定具に設けられた指を挿入することができる指輪とでスマートフォン用タッチペンを構成している。【選択図】  図５
2013174989.tif 000002
【特許請求の範囲】
【請求項１】
タッチペン本体と、このタッチペン本体に直接あるいは紐を介して取付けられたスマートフォンの接続端子に着脱可能に取付けることができるピンジャックと、前記タッチペン本体の先端部を覆うことができるように該先端部に着脱可能に取付けられ、前記ピンジャックの先端部が着脱可能なピンジャック係合孔を有するカバー、あるいは前記紐を介して取付けられたピンジャックに形成された指固定具と、このカバーあるいは指固定具に設けられた指を挿入することができる指輪とからなることを特徴とするスマートフォン用タッチペン。
【請求項２】
カバー体に設けられた指輪はカバー体に取付けられたタッチペン本体を押し圧して、該タッチペン本体がカバー体より外れるのを防止できるように弾性力が付与できるように構成されていることを特徴とする請求項１記載のスマートフォン用タッチペン。
【発明の詳細な説明】
【技術分野】
【０００１】
本発明はスマートフォンにメール等の文字を入力する時に使用するスマートフォン用タッチペンに関する。
【背景技術】
【０００２】
従来、スマートフォンにメール等の文字を、例えばローマ字入力する場合、表示されるローマ字が小さいため、タッチペンを用いて入力されることが多い。
しかしながら、タッチペンは人混みで使用中に落としたり、画面をスライドさせたり、拡大する時のタッチペンを握り直す場合に、落としたりするという欠点があった。
また、タッチペンのペン先は外部に表出された状態になっているため、経年変化で風化し、初期の効果が得られなくなるとともに、不使用時の収納によって、ペン先が損傷しやすいという欠点があった。
【先行技術文献】
【特許文献】
【０００３】
【特許文献１】特開２００９−２５９０６２号公報
【発明の概要】
【発明が解決しようとする課題】
【０００４】
本発明は以上のような従来の欠点に鑑み、タッチペンの使用中は指に係止させて使用できるようにして、落としたりする不具合を効率よく阻止するとともに、不使用時にはタッチペンのペン先を保護して、風化や損傷したりするのを効率よく阻止することができ、かつタッチペンの持ち運びが容易なスマートフォン用タッチペンを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はタッチペン本体と、このタッチペン本体に直接あるいは紐を介して取付けられたスマートフォンの接続端子に着脱可能に取付けることができるピンジャックと、前記タッチペン本体の先端部を覆うことができるように該先端部に着脱可能に取付けられ、前記ピンジャックの先端部が着脱可能なピンジャック係合孔を有するカバー、あるいは前記紐を介して取付けられたピンジャックに形成された指固定具と、このカバーあるいは指固定具に設けられた指を挿入することができる指輪とでスマートフォン用タッチペンを構成している。
【発明の効果】
【０００７】
以上の説明から明らかなように、本発明にあっては次に列挙する効果が得られる。
（１）請求項１により、タッチペンを取付け具とカバー体によって、スマートフォンのイヤホンジャックに取付けることができる。
したがって、タッチペンの紛失を効率よく阻止することができるとともに、スマートフォンの近くにタッチペンが位置して、タッチペンを楽に使用することができる。
（２）前記（１）によって、タッチペンのペン先を不使用時にカバー体で覆うことができる。
したがって、ペン先の保護を図ることができ、風化や損傷を効率よく防止することができる。
（３）前記（１）により、タッチペンの使用時に指輪を指に差し込むとともに、カバー体のピンジャック係合孔に取付け具のピンジャックを係合させることにより、タッチペンを落としたりすることなく使用することができる。
（４）前記（１）によって、タッチペンでの操作や指先でのスマートフォンの操作をスムーズに楽に行なうことができる。
（５）請求項２も前記（１）〜（４）と同様な効果が得られるとともに、タッチペン本体のカバー体からの脱落を、指輪の弾性力で効率よく防止することができる。
【図面の簡単な説明】
【０００８】
【図１】本発明を実施するための第１の形態の収納状態の平面図。
【図２】本発明を実施するための第１の形態のスマートフォンより外した状態の説明図。
【図３】本発明を実施するための第１の形態のピンジャック係合孔へピンジャックを取付けた状態の説明図。
【図４】本発明を実施するための第１の形態のカバー体を外し指輪に指を挿入させた状態の説明図。
【図５】本発明を実施するための第１の形態のタッチペンを使用する状態の説明図。
【図６】本発明を実施するための第１の形態のタッチペンを握る状態の説明図。
【図７】本発明を実施するための第１の形態のタッチペンを握って指先でスマートフォンを操作する説明図。
【図８】本発明を実施するための第２の形態の収納状態の説明図。
【図９】本発明を実施するための第２の形態のスマートフォンより取り外した状態の説明図。
【図１０】本発明を実施するための第２の形態のタッチペンを使用する状態の説明図。
【図１１】本発明を実施するための第３の形態の収納状態の説明図。
【図１２】本発明を実施するための第３の形態のスマートフォンより取り外した状態の説明図。
【図１３】本発明を実施するための第３の形態のタッチペンを使用する状態の説明図。
【図１４】本発明を実施するための第４の形態の収納状態の説明図。
【図１５】本発明を実施するための第４の形態のスマートフォンより取り外した状態の説明図。
【図１６】本発明を実施するための第４の形態のタッチペンを使用する状態の説明図。
【発明を実施するための形態】
【０００９】
以下、図面に示す本発明を実施するための形態により、本発明を詳細に説明する。
【００１０】
図１ないし図７に示す本発明を実施するための第１の形態において、１はスマートフォン２にメール等の文字を入力する時に使用される本発明のスマートフォン用タッチペンで、このスマートフォン用タッチペン１は帯電ゴムを用いて形成されたペン先３を有するタッチペン本体４と、このタッチペン本体４の後端部に一端部が取付けられた他端部が前記スマートフォン２の接続端子としてのピン状のイヤホンジャック５に着脱可能に取付けることができるピンジャック６を備える取付け具７と、前記タッチペン本体４の先端部のペン先３を着脱可能に覆うカバー体８と、このカバー体８に形成された前記取付け具７のピンジャック６を上部より着脱可能に係合させることができるピンジャック係合孔９と、前記カバー体８に一体成形あるいは固定的に取付けられた、該カバー体８に取付けられた前記タッチペン本体４を押し圧するような弾性力を付与することができるほぼＵ字状の指輪１０とで構成されている。
【００１１】
前記取付け具７は他端部にピンジャック６が取付けられた紐１１と、この紐１１の一端部に取付けられた、前記タッチペン本体４の後端部に形成したナス環取付孔１２に取付けることができるナス環１３とで構成されている。
【００１２】
上記構成のスマートフォン用タッチペン１は図１に示すように、スマートフォン２のイヤホンジャック５に取付け具７のピンジャック６に取付けるとともに、タッチペン本体４の先端部のペン先３にカバー体８を取付け、タッチペン本体４の先端部のペン先３を保護する。
【００１３】
この状態で携帯されるため、スマートフォン２にタッチペン１が取付けられた状態となっているため、スマートフォン２とタッチペン１とが離れることなく、保管が容易で、楽に携帯することができる。
【００１４】
また、タッチペン本体４の先端部のペン先３をカバー体８で覆うことにより、カバー体８の指輪１０部分でタッチペン本体４を押し圧する状態となり、タッチペン本体４からカバー体８が脱落しないような弾性力が働いている。
【００１５】
タッチペン１を使用する場合、図４に示すようにタッチペン本体４の先端部のペン先３を覆っていたカバー体８を取り外して指輪１０に指１４を差し込むとともに、スマートフォン２のイヤホンジャック５に係合されていたピンジャック６を外して、カバー体８のピンジャック係合孔９に係合させることにより、指１４にタッチペン本体４が取付けられた状態となり、スマートフォン２にメール等の文字の入力時にタッチペン本体４を用いて、図５に示すように行なう。
【００１６】
タッチペン本体４を使用時に、スマートフォン２の画像を移動させる場合、図６に示すようにタッチペン本体４を握って、図７に示すように指１４を移動させて行なうことができる。
【００１７】
[発明を実施するための異なる形態]
次に、図８ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図８ないし図１０に示す本発明を実施するための第２の形態において、前記本発明を実施するための第１の形態と主に異なる点は、リング状の指輪１０Ａを取付けたカバー体８Ａを用いた点で、このようなカバー体８Ａを用いて構成したスマートフォン用タッチペン１Ａにしても、前記本発明を実施するための第１の形態と同様な作用効果が得られる。
【００１９】
図１１ないし図１３に示す本発明を実施するための第３の形態において、前記本発明を実施するための第１の形態と主に異なる点は、スマートフォン２の楕円形状に形成された接続端子５Ａに着脱可能なほぼ長方形状のピンジャック６Ａを備えるタッチペン本体４Ａを用いるとともに、該タッチペン本体４Ａの後端部に紐１１を介して指固定具１５に指輪１０が取付けられた取付け具７Ａを用いた点で、このように構成されたスマートフォン用タッチペン１Ｂにしても、前記本発明を実施するための第１の形態と同様な作用効果が得られる。
【００２０】
図１４ないし図１６に示す本発明を実施するための第４の形態において、前記本発明を実施するための第３の形態と主に異なる点は、指固定具１５にタッチペン本体４Ａのほぼ長方形状のピンジャック６Ａが挿入され係合する接続端子５Ａ形状の係合凹部１６を形成し、タッチペン本体４Ｂに指固定具１５Ａを係合した状態でタッチペン本体４Ｂを使用できるように構成した点で、このように構成されたスマートフォン用タッチペン１Ｃにしても、前記本発明を実施するための第３の形態と同様な作用効果が得られる。
【産業上の利用可能性】
【００２１】
本発明はスマートフォンにメール等の文字を入力する時に使用するスマートフォン用タッチペンを製造する産業で利用することができる。
【符号の説明】
【００２２】
１、１Ａ、１Ｂ、１Ｃ：スマートフォン用タッチペン、
２：スマートフォン、    ３：ペン先、
４、４Ａ、４Ｂ：タッチペン本体、
５、５Ａ：接続端子としてのイヤホンジャック、  
６、６Ａ：ピンジャック、    ７、７Ａ：取付け具、
８、８Ａ：カバー体、    ９：ピンジャック係合孔、
１０、１０Ａ：指輪、    １１：紐、
１２：ナス環取付孔、    １３：ナス環、
１４：指、        １５、１５Ａ：指固定具、
１６：係合凹部。
【図１】
2013174989.tif 000003
【図２】
2013174989.tif 000004
【図３】
2013174989.tif 000005
【図４】
2013174989.tif 000006
【図５】
2013174989.tif 000007
【図６】
2013174989.tif 000008
【図７】
2013174989.tif 000009
【図８】
2013174989.tif 000010
【図９】
2013174989.tif 000011
【図１０】
2013174989.tif 000012
【図１１】
2013174989.tif 000013
【図１２】
2013174989.tif 000014
【図１３】
2013174989.tif 000015
【図１４】
2013174989.tif 000016
【図１５】
2013174989.tif 000017
【図１６】
2013174989.tif 000018